(57)【要約】【課題】  聴力の生理状況に基づいてイコライザーの設定を調整できる電子機器及び音声再生装置を提供することを課題とする。【解決手段】  イコライザーとイコライザー調整システムとを含む電子機器であって、イコライザー調整システムが該イコライザーの設定を調整するため用いられる。イコライザー調整システムは、テストモジュールとパラメータ計算モジュールとパラメータ設定モジュールとを含む。テストモジュールは、聴力テストプロセスを提供し、利用者が聴力テストプロセスを経た後で、利用者の聴力状況を取得することで、パラメータ計算モジュール及びパラメータ設定モジュールが利用者の聴力状況に基づいてイコライザーの設定を調整させることができる。【選択図】図１
2017092941.tif 000002
【特許請求の範囲】
【請求項１】
イコライザと、
聴力テストプロセスを提供し、利用者が前記聴力テストプロセスを経た後で、前記利用者の異なる周波数の音について聞こえる複数の最低ゲイン値を取得するためのテストモジュールと、前記各最低ゲイン値と参考ゲイン値に基づき、修正処理パラメータを生成するためのパラメータ計算モジュールと、 前記修正処理パラメータに基づき、前記イコライザーの音声が異なる周波数におけるゲイン値の設定を調整するためパラメータ設定モジュールとを包括し、前記イコライザーの設定を調整するためのイコライザー調整システムと、
を含むことを特徴とする電子機器。
【請求項２】
音声信号処理チップを更に含むことを特徴とする請求項１に記載の電子機器。
【請求項３】
前記イコライザーは、音声信号処理チップ内に設けられることを特徴とする請求項２に記載の電子機器。
【請求項４】
音声再生装置を更に含み、且つ前記音声再生装置が第２音声信号処理チップとスピーカとを包括することを特徴とする請求項１に記載の電子機器。
【請求項５】
前記イコライザーは、前記音声再生装置内に設けられることを特徴とする請求項４に記載の電子機器。
【請求項６】
前記イコライザーは、前記第２音声信号処理チップ内に設けられることを特徴とする請求項５に記載の電子機器。
【請求項７】
前記参考ゲイン値は、前記各最低ゲイン値内の数値が最小のゲイン値とすることを特徴とする請求項１〜６のいずれか一項に記載の電子機器。
【請求項８】
前記各最低ゲイン値が前記参考ゲイン値より１０×Ｎデシベル（ｄＢ）を上回った時、前記パラメータ設定モジュールは、前記イコライザーの音声が同一周波数におけるゲイン値をＮデシベル（ｄＢ）アップし、ここでは０＜Ｎ＜２０とし、通常テストを行う時、Ｎは整数をとることを特徴とする請求項１〜６のいずれか一項に記載の電子機器。
【請求項９】
前記テストモジュールは、
周波数の異なる複数のテスト用音声を発生するための音声発生ユニットと、
前記利用者が前記各テスト用音声を聞いた時に入力した応答コマンドを受信するための応答受信ユニットと、
前記各応答コマンドにより、異なる周波数の音について前記利用者が聞こえる前記各最低ゲイン値を各々取得するための記録ユニットと、
を更に含むことを特徴とする請求項１〜６のいずれか一項に記載の電子機器。
【請求項１０】
前記電子機器は、スクリーンを更に含み、前記テストモジュールがボタン提供ユニットを更に含み、前記ボタン提供ユニットは前記スクリーンに表示する仮想ボタンを提供することで、前記利用者がクリックした後、前記各応答コマンドを入力するために供することを特徴とする請求項９に記載の電子機器。
【請求項１１】
第２音声信号処理チップと、
前記第２音声信号処理チップと電気的に接続し、前記電子機器からのパラメータ設定コマンドを受信するための信号受信器と、イコライザーとを含み、電子機器に電気的に接続できる音声再生装置において、
前記パラメータ設定コマンドはイコライザーの音声が異なる周波数におけるゲイン値の設定を調整するために用いられることを特徴とする音声再生装置。
【請求項１２】
前記イコライザーは、前記第２音声信号処理チップ内に設けられることを特徴とする請求項１１に記載の音声再生装置。
【発明の詳細な説明】
【技術分野】
【０００１】
本発明は、イコライザー調整の技術に関し、特に、利用者の聴力の生理状況に基づいてイコライザーの設定を調整できる技術に関する。
【背景技術】
【０００２】
「イコライザー（Ｅｑｕａｌｉｚｅｒ、ＥＱ）」は、音声の出力を調整できるツールで、音声の異なる周波数帯域におけるゲイン値を変更できるため、出力された効果音の調整に常に用いられる。現在大部分のコンピュータにもイコライザーソフトウェアが搭載され、利用者が音楽を楽しむ時の用に供されている。
【０００３】
高齢者又は聴力障害者は、比較的高い周波数帯の音に対する聴力が低下するため、イコライザーを通じて、出力される音声の高い周波数帯部分を調整できた場合、彼らの聞き取りがよくなるようサポートできる。
【発明の概要】
【発明が解決しようとする課題】
【０００４】
本発明の主な目的は、利用者の聴力状況に基づいてイコライザー設定を調整できる電子機器を提供することである。
【０００５】
本発明の別の目的は、利用者の聴力状況に基づいてイコライザーの設定を変更できる音声再生装置を提供することである。
【課題を解決するための手段】
【０００６】
上記の主な目的を達成するため、本発明の電子機器は、イコライザーとイコライザー調整システムとを含み、イコライザー調整システムが該イコライザーの設定を調整するため用いられる。イコライザー調整システムは、テストモジュールとパラメータ計算モジュールとパラメータ設定モジュールとを含む。テストモジュールは、聴力テストプロセスを提供し、利用者が該聴力テストプロセスを経た後で、該利用者の異なる周波数の音について聞こえる複数の最低ゲイン値を取得するために用いられる。パラメータ計算モジュールは、各最低ゲイン値と参考ゲイン値に基づき、修正処理パラメータを生成するために用いられる。パラメータ設定モジュールは、該修正処理パラメータに基づき、イコライザーの音声が異なる周波数におけるゲイン値の設定を調整するために用いられる。
【０００７】
本発明の一実施例によれば、本発明の電子機器は、音声信号処理チップを更に含む。
【０００８】
本発明の一実施例によれば、前記イコライザーは、音声信号処理チップ内に設けられる。
【０００９】
本発明の一実施例によれば、本発明の電子機器は、音声再生装置を更に含み、且つ該音声再生装置が第２音声信号処理チップとスピーカとを包括する。
【００１０】
本発明の一実施例によれば、前記イコライザーは、音声再生装置内に設けられる。
【００１１】
本発明の一実施例によれば、前記イコライザーは、第２音声信号処理チップ内に設けられる。
【００１２】
本発明の一実施例によれば、前記参考ゲイン値は、各該最低ゲイン値内の数値が最小のゲイン値とする。
【００１３】
本発明の一実施例によれば、前記各最低ゲイン値が参考ゲイン値より１０×Ｎデシベル（ｄＢ）を上回った時、パラメータ設定モジュールは、イコライザーの音声が同一周波数におけるゲイン値をＮデシベル（ｄＢ）アップし、ここでは０＜Ｎ＜２０とし、通常テストを行う時、Ｎは整数をとる。
【００１４】
本発明の一実施例によれば、前記テストモジュールは、音声発生ユニットと応答受信ユニットと記録ユニットとを含む。音声発生ユニットは、周波数の異なる複数のテスト用音声を発生するために用いられる。応答受信ユニットは、利用者が各テスト用音声を聞いた時に入力した応答コマンドを受信するために用いられる。記録ユニットは、各応答コマンドにより、異なる周波数の音について利用者が聞こえる各最低ゲイン値を各々取得するために用いられる。
【００１５】
本発明の一実施例によれば、本発明の電子機器は、スクリーンを更に含み、且つ前記テストモジュールがボタン提供ユニットを更に含む。ボタン提供ユニットは、スクリーンに表示する仮想ボタンを提供することで、利用者がクリックした後、各応答コマンドを入力するために供する。
【００１６】
上記の他の目的を達成するため、本発明で提供する音声再生装置は、電子機器に電気的に接続できる。音声再生装置が第２音声信号処理チップと信号受信器とイコライザーとを含む。信号受信器は、第２音声信号処理チップと電気的に接続し、電子機器からのパラメータ設定コマンドを受信するために用いられ、該パラメータ設定コマンドが該イコライザーの音声が異なる周波数におけるゲイン値の設定を調整するために用いられる。
【図面の簡単な説明】
【００１７】
【図１】本発明の実施例１に係るイコライザーの調整システムを有する電子機器の実施環境図である。
【図２】本発明の実施例２に係るイコライザーの調整システムを有する電子機器の実施環境図である。
【図３】イコライザーの通常モードにおけるゲイン値の設定を示す模式図である。
【図４】イコライザーの別の操作モードにおけるゲイン値の設定を示す模式図である。
【図５】テストインターフェースの模式図である。
【図６】聴力テスト結果の図表である。
【図７】調整を経た後のイコライザーの通常モードにおけるゲイン値の設定を示す模式図である。
【図８】調整を経た後のイコライザーの別の操作モードにおけるゲイン値の設定を示す模式図である。
【図９】本発明のイコライザー調整方法のステップフローチャートである。
【発明を実施するための形態】
【００１８】
以下、審査官に本発明の技術内容を理解してもらうため、好ましい具体的実施例を挙げて説明する。
【００１９】
以下、図１乃至図８を参照すると、本発明に係る電子機器９０の使用環境を示す模式図である。図１に示すように、本発明の実施例１において、本発明の電子機器９０は、スクリーン９１と音声信号処理チップ９２と音声再生装置９３とイコライザーＥＱとイコライザー調整システム１とを含む。イコライザー調整システム１は、スクリーン９１、音声信号処理チップ９２及び音声再生装置９３と電気的に接続されている。本発明の具体的実施例において、電子機器９０はスマートフォンであるが、本発明はこれに限られるものではなく、電子機器９０がタブレットコンピュータ、ノートブックコンピュータ或いは他の演算処理機能を有する電子製品とすることもできる。
【００２０】
スクリーン９１は、映像画面を表示するために用いられる。本発明の一実施例において、スクリーン９１は図５に示すようなテストインターフェース７０を表示して、利用者が該テストインターフェース７０を通じて聴力検査を行うことができる（後記を参照）。
【００２１】
本発明の実施例１において、音声信号処理チップ９２は、音声信号の符号化・複号化を実行するために用いられる。音声信号処理チップ９２内にイコライザーＥＱソフトウェア（ファームウェア）を搭載し、言い換えると，本実施例において、イコライザーＥＱが音声信号処理チップ９２内に設けられている。イコライザーＥＱのゲイン値の設定調整を通じて音声信号処理チップ９２の出力された音声の異なる周波数におけるゲイン値を調整できる。通常イコライザーＥＱゲイン値の調整は、利用者が図３、４に示すグラフィカルユーザインタフェース８０を通じて設定を行うことができる。図３は、イコライザーＥＱの通常モードにおけるゲイン値の設定を示す模式図である。通常モードにおいて、音声の各周波数におけるゲイン値は等しく、利用者が出力された音声の音域を引き上げたい場合、手動で高周波数部分（２Ｋ〜１６ＫＨｚ）の調整ボタン８１でゲイン値を引き上げることができる。これ以外に、従来のイコライザーＥＱは、均しく複数のモードをデフォルトして利用者に選択肢を提供し、利用者はモードメニュー８２を通じて自身が欲しいモードを選択できる。図４は、イコライザーＥＱの別のモードにおけるゲイン値の設定を示す模式図であり、異なるモードにおいて、異なるゲイン値の設定がある。イコライザーＥＱは、従来のよく見られる音声出力調整ツールであり、その構造及び原理は本発明の属する技術の分野における通常の知識を有する者が熟知するため、ここでその説明を省略する。
【００２２】
音声再生装置９３は、内蔵式スピーカ又は外付けのイヤホンとすることができ、音声信号処理チップ９２の符号化で生成した音声信号によって音を発する。
【００２３】
本発明の実施例１において、イコライザー調整システム１は、テストモジュール１０とパラメータ計算モジュール２０とパラメータ設定モジュール３０とを含む。上記各モジュールは、ハードウェア装置、ソフトウェアのプログラム、ファームウェア或いはそれらの組み合わせとして配置できる以外に、回路のループ若しくはその他の適した形式を通じて配置でき、且つ、各モジュールは、単独形式で配置できる以外に、結合形式としても配置できる。好ましい一実施例は、各モジュールがソフトウェアのプログラムとしてメモリ上に保存され、電子機器９０内のプロセッサ（図示せず）を通じて、各モジュールを実行することで、本発明の機能を達する。このほかに、本実施形態は、本発明の好ましい実施例を例示するだけで、繰り返し記述を避けるため、全ての可能な変化組み合わせを詳細に記載していない。しかしながら、この分野における通常の知識を有する者が、上記各モジュール又は素子が必ず必要というものではなく、且つ本発明を実施するため、他の細かい従来のモジュール又は素子も含む可能性があり、各モジュール又は素子が必要性を見て省略或いは改良でき、またいずれか２つモジュールの間にそのモジュール又は素子が存在していることが理解されるべきである。
【００２４】
本発明の一実施例において、テストモジュール１０は、ボタン提供ユニット１１と音声発生ユニット１２と応答受信ユニット１３と記録ユニット１４とを含む。
【００２５】
ボタン提供ユニット１１は、図５に示すテストインターフェース７０をスクリーン９１上に表示するために用いられ、テストインターフェース７０が仮想ボタン７１を含む。
【００２６】
音声発生ユニット１２は、音声再生装置９２を制御して異なる周波数の複数のテスト用音を発するために用いられる。図６に示すように、本発明の実施例において、各テスト用音声の周波数は、各々２５０、５００、１０００、２０００、３０００、４０００及び８０００Ｈｚとし、且つ同一周波数のテスト用音声には、ゲイン値の異なる複数の音声帯域を含み、各該音声帯域のゲイン値は、低いから高いに１０ｄＢを等差とするが、本発明は、これに限られるものではない。
【００２７】
応答受信ユニット１３は、利用者が各テスト用音声を聞いた時、仮想ボタン７１をクリックすることによって入力した応答コマンドを受信するために用いられる。
【００２８】
記録ユニット１４は、受信した各応答コマンドに基づき、各異なる周波数の音声について利用者が聞こえる最低ゲイン値を各々取得する。例を挙げると、図５に示すように、仮に音声発生ユニット１２から周波数が２５０Ｈｚのテスト用音声が発せられ、ゲイン値が１０ｄＢの時、利用者はすでに該テスト用音声が聞こえたら、仮想ボタン７１を押して応答コマンドを入力でき、記録ユニット１４は該応答コマンドによって２５０Ｈｚの音声について該利用者が聞こえた最低ゲイン値を１０ｄＢとすることを取得並びに記録する。また、仮に音声発生ユニット１２から周波数が４０００Ｈｚのテスト用音声が発せられ、利用者がゲイン値を７０ｄＢとする音声帯域においてテスト用音声が聞こえて仮想ボタン７１を押した場合、記録ユニット１４は受信した応答コマンドによって４０００Ｈｚの音声について該利用者が聞こえる最低ゲイン値を７０ｄＢであることを取得並びに記録する。
【００２９】
よって、上記各ユニットの実施を通じて、テストモジュール１０は、利用者が該聴力テストプロセスを経た後、異なる周波数の音声について該利用者が聞こえる複数の最低ゲイン値を取得するため、聴力テストプロセスを提供できる（図５の図表）。ただし、ここの聴力テストプロセスは、上記紹介した方式に限られるものではなく、本発明の実施は既存の聴力テストの方法を組み合わせることもでき、異なる既存の聴力テスト方法について、異なる聴力テストプロセスを提供する。どの聴力テスト方式を通じて異なる周波数の音声について被試験者が聞こえる最低ゲイン値を取得するのは公知技術であり、関連方法及び原理は、本発明の属する技術の分野における通常の知識を有する者が熟知し、且つ多くの特許文献でも記載されているため、ここでその説明を省略する。
【００３０】
パラメータ計算モジュール２０は、テストで取得した各最低ゲイン値及び参考ゲイン値に基づき、修正処理パラメータを生成するために用いられる。本発明の一実施例において、パラメータ計算モジュール２０は、テストで取得した各最低ゲイン値内の数値が最小のゲイン値を参考ゲイン値とする。図５に示すのを例として、複数の最低ゲイン値内の数値が最小なのが１０ｄＢ（周波数が２５０及び５００Ｈｚの時も含む）であるため、パラメータ計算モジュール２０は、１０ｄＢを参考ゲイン値とし、言い換えると、本実施例において、参考ゲイン値は動的ものであり、異なるテスト結果によって決定できるが、本発明の参考ゲイン値の決定は、これに限られるものではなく、参考ゲイン値も統一して某特定ゲイン値（例：２０ｄＢ）とデフォルトすることがきる。
【００３１】
本実施例において、パラメータ計算モジュール２０は、取得した各最低ゲイン値と参考ゲイン値間との差で修正パラメータを各々生成し、４０００Ｈｚを例にすると、取得した最低ゲイン値が７０ｄＢの場合、パラメータ計算モジュール２０は取得した該最低ゲイン値と参考ゲイン値の間の差である６０ｄＢで修正パラメータを生成する。同じ道理で、他の周波数の修正パラメータもこの方式で得られ、最後に異なる周波数における修正パラメータの集合が、上記修正処理パラメータとなる。
【００３２】
パラメータ設定モジュール３０は、修正処理パラメータによってパラメータ設定コマンドを生成するために用いられ、該パラメータ設定コマンドがイコライザーＥＱの音声が異なる周波数におけるゲイン値の設定を調整するために用いられる。本発明の一実施例において、取得した特定周波数下の音声の最低ゲイン値が参考ゲイン値より１０×ＮｄＢを上回った時（０＜Ｎ＜２０、通常テストを行う時、Ｎは整数をとる）、パラメータ設定モジュール３０が、イコライザーＥＱの音声が同一周波数におけるゲイン値をＮｄＢ引き上げる。例を挙げると、前記の例と同じように、仮に取得した周波数４０００Ｈｚの音声について利用者が聞こえる最低ゲイン値は７０ｄＢの場合、参考ゲイン値１０ｄＢとの差が６０ｄＢで、この時パラメータ設定モジュール３０は、イコライザーＥＱの音声が周波数４０００Ｈｚにおけるゲイン値を６ｄＢ引き上げる。
【００３３】
パラメータ設定モジュール３０で調整を終えた後、イコライザーＥＱの各モードにおけるゲイン値は、新しいゲイン値と同期設定され、上記の例を例にすると、各モードにおいて、周波数４０００Ｈｚの音声のゲイン値が、本来のゲイン値より６ｄＢ引き上げ（図６、図７）、他の異なる周波数におけるゲイン値の設定も調整される。 
【００３４】
図２は、本発明の実施例２に係る電子機器９０の実施環境を示す模式図である。本発明の実施例２において、前記実施例１との相違点は、電子機器９０が音声再生装置６０と信号送信器９４を更に含むことである。音声再生装置６０は、信号受信器６１と第２音声信号処理チップ６２とスピーカ６３とを含む。信号送信器９４と信号受信器６１は、無線通信方法で信号をリンクする。本発明の具体的実施例において、音声再生装置６０を無線イヤホンとしているが、本発明はこれに限られるものではない。
【００３５】
信号受信器６１は、信号で信号送信器９４とリンクすることで、イコライザー調整システム１で生成したパラメータ設定コマンドを受信するために用いられ、音声信号（例えば音楽）も受信できる。本発明の具体的実施例において、信号受信器６１と信号送信器９４は、いずれもブルートゥース（登録商標）無線通信モジュールとし、言い換えると、音声再生装置６０は、本実施例において、無線通信方式で電子機器９０と信号リンクを行うが、本発明はこれに限られるものではない。
【００３６】
第２音声信号処理チップ６２は、信号受信器６１及びスピーカ６３と電気的に接続し、イコライザーＥＱを備える。電子機器９０からのパラメータ設定コマンドは、該イコライザーＥＱの音声が異なる周波数におけるゲイン値の設定を調整することで、第２音声信号処理チップ６２がイコライザーＥＱ調整後のゲイン値に基づいて設定させ、その後入力された音声信号を処理して出力音声信号を生成させ、スピーカ６３が出力音声信号によって音を発するために用いられる。本発明の具体的実施例において、第２音声信号処理チップ６２がマイクロコントローラで、イコライザーＥＱがソフトウェア（ファームウェア)の形でマイクロコントローラ内に存在させているが、本発明はこれに限られるものではない。
【００３７】
実施例２において、イコライザー調整システム及び電子機器９０の他の記述していない装置又は素子の機能は、いずれも上記実施例１と同じであるため、ここでその説明を省略する。
【００３８】
前述の説明からも分かる通り、本発明のイコライザー調整システム１は、聴力テストプロセスを提供でき、また利用者が聴力テストを終えた後、聴力テスト結果に基づいてイコライザーＥＱの設定を調整することで、電子機器９０或いは音声再生装置６０の今後発する音は該利用者の聴力状況を満たすことができる。
【００３９】
最後に、図１乃至図９を一緒に参考にすると、図９は、イコライザー調整方法に関するステップフローチャートである。以下に図１乃至図８を組み合わせて図９に示す各ステップを順次に説明する。以下、図１或いは図２に示す電子機器９０を例にして、本発明で開示するイコライザー調整方法を説明しているが、本発明のイコライザー調整方法は、上記電子機器９０に実施するものに限られるものではない。
【００４０】
まず、聴力テストプロセスを提供するステップＳ１を行う。
【００４１】
本発明で開示するイコライザー調整方法は、利用者の聴力状況によってイコライザーＥＱのゲイン値の設定を調整できる。よって利用者の聴力状況の知得を求めるため、イコライザー調整方法のステップ１は、聴力テストプロセスを提供することであり、利用者が該聴力テストプロセスを経た後、関し異なる周波数の音声について該利用者が聞こえる最低ゲイン値を取得する。
【００４２】
本発明の一実施例において、ステップＳ１内の聴力テストプロセスを提供するステップは、ステップＳ１０１、Ｓ１０２、Ｓ１０３及びＳ１０４を包括する。
【００４３】
仮想ボタンを提供してスクリーンに表示するステップＳ１０１を実行する。
【００４４】
聴力テストプロセスが行うために、テストモジュール１０のボタン提供ユニット１１が、図５に示す仮想ボタン７１を提供してスクリーン９１に表示する。
【００４５】
電子機器を制御して異なる周波数の複数のテスト用音声を発するステップＳ１０２を実行する。
【００４６】
仮想ボタン７１を提供した後、次に、テストモジュール１０の音声発生ユニット１２は、電子機器９０の音声再生装置９２又は音声再生装置６０（上記実施例２）を制御して異なる周波数の複数のテスト用音声を発する。
【００４７】
利用者は各テスト用音声が聞こえた時に入力した応答コマンドを受信するステップＳ１０３を実行する。
【００４８】
一旦利用者がテスト用音声を聞こえた際、仮想ボタン７１を押して応答コマンドを入力でき、該応答コマンドはテストモジュール１０の応答受信ユニット１３が受信する。
【００４９】
各応答コマンドに基づき、各異なる周波数の音声について利用者が聞こえる最低ゲイン値を各々取得するステップＳ１０４を実行する。
【００５０】
異なる周波数における利用者が聞こえる音声の最低ゲイン値を取得した後、次に、テストモジュール１０の記録ユニット１４は各応答コマンドに基づき、各異なる周波数の音声について利用者が聞こえる最低ゲイン値を各々取得並びに記録できる。
【００５１】
聴力テストプロセスを終えた後、次に、各最低ゲイン値と参考ゲイン値によって修正処理パラメータを生成するステップＳ２を行う。
【００５２】
一旦聴力テストプロセスの実施を通じて、各異なる周波数の音声について利用者が聞こえる最低ゲイン値を取得した後、次に、パラメータ計算モジュール２０は、テストで取得した各最低ゲイン値及び参考ゲイン値に基づき、修正処理パラメータを生成できる。本発明の一実施例において、パラメータ計算モジュール２０は、テストで取得した各最低ゲイン値内の数値が最小のゲイン値を参考ゲイン値とする。図６に示すのを例として、複数の最低ゲイン値内の数値が最小なのが１０ｄＢ（周波数が２５０及び５００Ｈｚの時も含む）であるため、パラメータ計算モジュール２０は、１０ｄＢを参考ゲイン値とし、言い換えると、本実施例において、参考ゲイン値は動的ものであり、異なるテスト結果によって決定できるが、本発明の参考ゲイン値の決定は、これに限られるものではなく、参考ゲイン値も統一して某特定ゲイン値（例：２０ｄＢ）とデフォルトすることがきる。
【００５３】
本実施例において、パラメータ計算モジュール２０は、取得した各最低ゲイン値と参考ゲイン値間との差で修正パラメータを各々生成し、４０００Ｈｚを例にすると、取得した最低ゲイン値が７０ｄＢの場合、パラメータ計算モジュール２０は取得した該最低ゲイン値と参考ゲイン値の間の差である６０ｄＢで修正パラメータを生成する。同じ道理で、他の周波数の修正パラメータもこの方式で得られ、最後に異なる周波数における修正パラメータの集合が、上記修正処理パラメータとなる。
【００５４】
最後に、修正処理パラメータに基づき、イコライザーの音声が異なる周波数におけるゲイン値の設定を調整するステップＳ３を行う。
【００５５】
修正処理パラメータが生成された後、最後に、パラメータ設定モジュール３０は該修正処理パラメータによってパラメータ設定コマンドを生成し、該パラメータ設定コマンドがイコライザーＥＱの音声が異なる周波数におけるゲイン値の設定を調整でき、電子機器９０の今後出力された音声が被試験者の聴力状況に適合させ、音声出力が該利用者にとって最適化の効果を奏させることができる。
【００５６】
上記をまとめると、本発明は、目的、手段及び効果を問わず、いずれも従来技術の特徴とは異なり、審査官は、何卒ご審理の上、速やかに特許査定賜りますようお願いする次第であります。ただし、上記の多くの実施例は、説明の便宜のためだけに挙げた例であり、本発明が主張する権利範囲は、上記実施例に限定されることなく、当然実用新案登録請求の範囲で記載されるものを基準とする。
【符号の説明】
【００５７】
１ イコライザー調整システム
１０ テストモジュール
１１ ボタン提供ユニット
１２ 音声発生ユニット
１３ 応答受信ユニット
１４ 記録ユニット
２０ パラメータ計算モジュール
３０ パラメータ設定モジュール
６０ 音声再生装置
６１ 信号受信器
６２ 第２音声信号処理チップ
６３ スピーカ
７０ テストインターフェース
７１ 仮想ボタン
８０ グラフィカルユーザインタフェース
８１ 調整ボタン
８２ モードメニュー
９０ 電子機器
９１ スクリーン
９２ 音声信号処理チップ
９３ 音声再生装置
９４ 信号送信器
ＥＱ イコライザー
【図１】
2017092941.tif 000003
【図２】
2017092941.tif 000004
【図３】
2017092941.tif 000005
【図４】
2017092941.tif 000006
【図５】
2017092941.tif 000007
【図６】
2017092941.tif 000008
【図７】
2017092941.tif 000009
【図８】
2017092941.tif 000010
【図９】
2017092941.tif 000011